(57)【要約】      （修正有）【課題】ジュエリーと同様の装飾性に優れた貴金属製印鑑であって、しかも貴金属製素材を用いながらも合理的なコストで市場に投入することができる貴金属製印鑑を提供する。【解決手段】貴金属製印鑑は、適宜モチーフの装飾性を備えた、孔開きプレート状の単位ピース１１を複数用意し、この単位ピース１１を複数ロー付けにより溶接取付して筒状の印鑑本体３１を形成するとともに、筒状の印鑑本体３１の両端に、それぞれ印面部３２と蓋部３３とをロー付けにより溶接取付したことを特徴とするものである。【選択図】図３
0003145359.tif 000002
【実用新案登録請求の範囲】
【請求項１】
適宜モチーフの装飾性を備えた、孔開きプレート状の単位ピースを複数用意し、この単位ピースを複数ロー付けにより溶接取付して筒状の印鑑本体を形成するとともに、
筒状の印鑑本体の両端に、それぞれ印面部と蓋部とをロー付けにより溶接取付したことを特徴とする貴金属製印鑑。
【請求項２】
前記適宜モチーフの装飾性を備えた、孔開きプレート状の単位ピースが、半円形断面の樋状構造を有していることを特徴とする請求項１に記載の貴金属製印鑑。
【請求項３】
前記適宜モチーフの装飾性を備えた、孔開きプレート状の単位ピースが、筒状断面の短筒状構造を有していることを特徴とする請求項１に記載の貴金属製印鑑。
【請求項４】
前記印面部が、ロストワックス法によりその印面を鋳造されていることを特徴とする請求項１ないし３のいずれかに記載の貴金属製印鑑。
【考案の詳細な説明】
【技術分野】
【０００１】
本考案は、種々の貴金属素材を用いて作製した貴金属製印鑑に関するものである。
【背景技術】
【０００２】
従来の一般的な印鑑に使用される印材としては、象牙や水牛等の天然素材、柘等の木材、水晶その他の石材、ラクトやセルロース系の樹脂等の化学素材、チタン等の金属で構成される材料が一般的である。
【０００３】
ところで、特開平１１−２０２８７公報（特許文献１参照）には、印面部分に貴金属素材を適用した貴金属製印鑑が記載されており、このように少なくとも印面に金属・貴金属を用いたものは多数提案されている。
また、実開平４−２９０６４号公報（特許文献２参照）には、象牙等からなる印面部とこの印面部に連結する把手部とを、貴金属製の枠により一体に構成した印鑑が提案されている。
【特許文献１】特開平１１−２０２８７号公報
【特許文献２】実開平４−２９０６４号公報
【考案の開示】
【考案が解決しようとする課題】
【０００４】
上述のように貴金属素材を用いた印鑑は存在するものの、ジュエリーと同様の装飾性に優れた貴金属製印鑑はほとんど存在しなかった。
また、貴金属製素材を用いながらも合理的なコストで市場に投入することができる貴金属製印鑑も存在しなかったのである。
【０００５】
そこで本考案の目的とするところは、ジュエリーと同様の装飾性に優れた貴金属製印鑑であって、しかも貴金属製素材を用いながらも合理的なコストで市場に投入することができる貴金属製印鑑を提供することである。
【課題を解決するための手段】
【０００６】
上述した課題を解決するために本考案に係る貴金属製印鑑は、適宜モチーフの装飾性を備えた、孔開きプレート状の単位ピースを複数用意し、この単位ピースを複数ロー付けにより溶接取付して筒状の印鑑本体を形成するとともに、
筒状の印鑑本体の両端に、それぞれ印面部と蓋部とをロー付けにより溶接取付したことを特徴とするものである。
【０００７】
本考案に係る貴金属製印鑑は、前記適宜モチーフの装飾性を備えた、孔開きプレート状の単位ピースが、半円形断面の樋状構造を有していることをも特徴とするものである。
【０００８】
本考案に係る貴金属製印鑑は、前記適宜モチーフの装飾性を備えた、孔開きプレート状の単位ピースが、筒状断面の短筒状構造を有していることをも特徴とするものである。
【０００９】
本考案に係る貴金属製印鑑は、前記印面部が、ロストワックス法によりその印面を鋳造されていることをも特徴とするものである。
【考案の効果】
【００１０】
本考案に係る貴金属製印鑑によれば、適宜モチーフの装飾性を備えた、孔開きプレート状の単位ピースを複数用意し、この単位ピースを複数ロー付けにより溶接取付して筒状の印鑑本体を形成することにより、ジュエリーと同様の装飾性に優れた貴金属製印鑑であって、しかも貴金属製素材を用いながらも合理的なコストで市場に投入することができる貴金属製印鑑を提供することが可能となった。
【考案を実施するための最良の形態】
【００１１】
以下、図面に基づいて本考案に係る貴金属製印鑑の実施の形態について詳細に説明する。
図１は、本考案に係る貴金属製印鑑を構成する単位ピースの展開図、図２はその斜視図、図３は単位ピースを用いて貴金属製印鑑を組み付ける状態を示す斜視図、図４は完成した貴金属製印鑑の概略斜視図である。
【００１２】
本考案に係る貴金属製印鑑の１実施例を示す図１ないし図４において、上述した課題を解決するために、本考案に係る貴金属製印鑑においては、孔開きプレート状であって適宜モチーフの装飾性を備え、かつ半円形断面の樋状構造を有する単位ピース１１を複数用意される。
【００１３】
前記単位ピース１１は、図１に示すように、好ましくはほぼ全周を取り囲む矩形の縁枠部２１と、縁枠部２１内に縦横に差し渡された縦桟部２２及び横桟部２３とを備えており、２４は縁枠部２１及び縦桟部２２、横桟部２３間の区画に形成された適宜モチーフの孔開きプレート状の装飾部であって、いずれも手彫りや光造形等の手段で原型を作製し、これをロストワックス法によって鋳造したり、プレスによる打抜き加工やエッチングの手法で効率的に生産することができる。
鋳造で予め円弧状に成形される場合以外では、その後図２に示すように、プレス等によって円弧状に加工することが必要である。
【００１４】
次に図３に示すように、この円弧状の単位ピース１１どうしを筒状に向き合わせ、かつ複数段となるよう連結してそれぞれ縁枠部２１においてロー付けにより溶接取付し、筒状の印鑑本体３１を形成する。
得た筒状の印鑑本体３１は、単位ピース１１の模様がくり返し現出する装飾性に優れたものである。もちろん、複数の単位ピース１１を作成しておけば、それらを適宜組み合わせることにより多様なバリエーションの印鑑本体３１を得ることができる。
【００１５】
また、図では一対の半円形断面の単位ピース１１を筒状に組み合せるものとし、かつ筒状にしたものを３段組み付けて印鑑本体３１を得ているが、単位ピース１１を適宜形状に形成してパズル状に組み付けるようにすることもできる。
もちろん、前記単位ピース１１として、筒状断面の短筒状構造を有するものとし、これを長さ方向に連結して筒状の印鑑本体３１としてもよい。
【００１６】
筒状の印鑑本体３１の両端には、それぞれ別途前記鋳造方法と同様にロストワックス法で作製した印面部３２と蓋部３３とを、それぞれロー付けにより溶接取付したものである。完成状態の概略を図４の斜視図に示す。
このようにして得た本考案の貴金属製印鑑は、筒状の印鑑本体３１が貴金属素材を使用しながら孔開きプレート状であって飛躍的に軽量化することができるため、消費者に受け入れられやすい適正な価格とすることが可能で、しかも非常に扱いやすい貴金属製印鑑を提供することができる。
【００１７】
もちろん、単位ピース１１を適宜モチーフの装飾性を備えたものとしたので、装飾性に優れた貴金属製印鑑を提供することができる。また単位ピース１１として単なるモチーフのみならず、メッセージ性のある文字等をも入れることができ、結婚式や卒業式、会社の記念日等における記念品としても好適に利用することができる。
【産業上の利用可能性】
【００１８】
本考案に係る貴金属製印鑑によれば、装飾用の印鑑としてのみならず実用的な印鑑としても利用することが可能であり、認印や実印、会社印として、また結婚式や卒業式、会社の記念日等における記念品等として幅広く使用することができる。
【図面の簡単な説明】
【００１９】
【図１】本考案に係る貴金属製印鑑を構成する単位ピースの展開図である。
【図２】その斜視図である。
【図３】単位ピースを用いて貴金属製印鑑を組み付ける状態を示す斜視図である。
【図４】完成した貴金属製印鑑の概略斜視図である。
【符号の説明】
【００２０】
１１  単位ピース
２１  縁枠部
２２  縦桟部
２３  横桟部
２４  装飾部
３１  印鑑本体
３２  印面部
３３  蓋部
【図１】
0003145359.tif 000003
【図２】
0003145359.tif 000004
【図３】
0003145359.tif 000005
【図４】
0003145359.tif 000006
【手続補正書】
【提出日】平成20年7月16日(2008.7.16)
【手続補正１】
【補正対象書類名】実用新案登録請求の範囲
【補正対象項目名】請求項１
【補正方法】変更
【補正の内容】
【請求項１】
適宜モチーフの装飾性を備えた、貴金属製の孔開きプレート状の単位ピースを複数用意し、この単位ピースを複数ロー付けにより溶接取付して筒状の印鑑本体を形成するとともに、
筒状の印鑑本体の両端に、それぞれ印面部と蓋部とをロー付けにより溶接取付したことを特徴とする貴金属製印鑑。
【手続補正２】
【補正対象書類名】図面
【補正対象項目名】図４
【補正方法】変更
【補正の内容】
【図４】
0003145359.tif 000007